(57)【要約】【課題】電気機器の電源コードを片付ける際に、電源コードを電気機器本体胴部に巻き付け、電気機器と一体化させて、コードをたるませることなく保持し、電源コードの片付けを直観的で簡単に行うことができ、また電気機器周辺を華やげ、物語性を感じさせるインテリアとしても楽しめる電源コードを片付けるための電源プラグ保持具の提供。【解決手段】電気機器本体に接着することが可能な接着装置と、電源プラグを保持できるように電源プラグに着脱自在である通電しない挿入溝があって、また外観を人形もしくは実在あるいは架空の生き物の形その他の装飾品にすることができて塊状であることを特徴とする電源コードを片付けるための電源プラグ保持具。もしくは電源プラグを着脱自在に挿し込めるような挿入溝があって、一端を電源コードに係止して固定し、外観が人形もしくは実在あるいは架空の生き物の形その他の装飾品である電源プラグ保持具により構成する。【選択図】図３
2016100327.tif 000002
【特許請求の範囲】
【請求項１】
電気機器本体に接着することが可能な接着装置と、電源プラグを挿し込んで保持できるように前記電源プラグの栓刃に着脱自在である通電しない挿入溝があって、塊状であることを特徴とする電源コードを片付けるための電源プラグ保持具。
【請求項２】
外観が装飾品である請求項１に記載の電源コードを片付けるための電源プラグ保持具。
【請求項３】
電源コードを電気機器本体外周に沿わせて引っ張り、前記電気機器本体とまとめて片付けるための電源プラグ保持具であり、電源プラグを挿し込めるように前記電源プラグの栓刃に着脱自在である通電しない挿入溝があって、一端を電源コードに係止して固定し、外観が装飾品であることを特徴とする電源コードを片付けるための電源プラグ保持具。
【請求項４】
外観が人形もしくは実在あるいは架空の生き物の形をしている請求項２、３に記載の電源コードを片付けるための電源プラグ保持具。
【発明の詳細な説明】
【技術分野】
【０００１】本発明は電気機器の電源コードを片付ける際に電源コードを電気機器と一体化させてまとめる電源プラグ保持具に関するものである。
【背景技術】
【０００２】電気機器についている電源コードを片付ける際には、従来は電源コードを何度も折り返して畳んだあと、例えば、特開２０１２−０８９４２２に記載されているように、ヒモやプラスチック等の帯でとめて束にしていた。【０００３】しかしこれでは電気機器本体と重心を異にするコードの束が電気機器本体からぶら下がって、見苦しくはみ出しており、片付けとしては不完全なものであった。これを解決するために様々な方法が考案された。【０００４】例えば実登３１２０５２８に登録されている考案である。ここには電気機器の裏面に電源コードを巻き付ける突起をつけてそこに電源コードを固定する方法が開示されている。【０００５】しかしこれは、電気機器本体表面に突起物を接着する広いスペースが必要であり、比較的大きな電気機器には取り付けることができるが、中小の電気機器には取り付けることができなかった。【０００６】また電気機器本体の製造と同時に備え付けておく必要があり、既存の電気機器に適用することができなかった。【０００７】また特開２０１４−１３９９０８のようにコードを箱に収納し、箱を電気機器本体に接着する方法が開示されているが、コードを箱につめる作業は細かい作業で煩わしいものであり、またコードを納めることができるのに充分な体積を有する箱を電気機器周辺に接着しておかなければならず、電気機器使用時には取り外さなければならないか、取り外さずに電気機器周辺に接着したままである場合は大きなスペースを必要とするものであった。【０００８】また電気機器は常に部屋に置いてあるものでありながら、機能のみに着目されてデザインはシンプルなものが多く、どちらかといえば冷たいイメージがあるものだった。とくに電源コード周りの多くは電気機器の裏面下部に位置し、ほこりっぽくごちゃごちゃしており、あまりきれいとは言えないイメージがあった。
【先行技術文献】
【特許文献】
【０００９】
【特許文献１】特開２０１２−０８９４２２
【特許文献２】実登３１２０５２８
【特許文献３】特開２０１４−１３９９０８
【発明の概要】
【発明が解決しようとする課題】
【００１０】そこで本発明は、既存の電気機器に適用可能であり、器具の設置に大きなスペースをとらず容易に設置でき、また長い紐状のコードを直観的に電気機器本体胴部にピッチリと巻き付けて片付けることによって電源コードの片付けを簡単に行えるようにし、また電気機器使用時にも大きなスペースをとらず、またインテリアとして電気機器やコード周りを華やげて楽しむことができる電源コードを片付けるための電源プラグ保持具を得ることを目的にしたものである。
【課題を解決するための手段】
【００１１】請求項１の発明によれば、電気機器本体に接着することが可能な接着装置と、電源プラグを挿し込んで保持できるように前記電源プラグの栓刃に着脱自在である通電しない挿入溝があって、塊状である保持具により構成する。【００１２】この保持具によれば、電源コードを直観的に電気機器本体に巻きつけて簡単にかたづけることができ、保持具には挿入溝と接着装置を備えるのに十分な大きさだけがあればいいから、電気機器上に取り付けても場所を取らない。【００１３】請求項２の発明によれば、請求項１の保持具の外観を装飾品にする。これにより、保持具に単に電源コードを片付ける道具としてだけではない、通常機能のみに注目されて華やぎのない電気機器周辺の空間に華やぎを与えるアクセサリーとしての価値が生じる。【００１４】請求項３の発明によれば、電源コードを電気機器本体外周に沿わせて引っ張り、前記電気機器本体とまとめて片付けるための電源プラグ保持具であり、電源プラグを挿し込めるように前記電源プラグの栓刃に着脱自在である通電しない挿入溝があって、一端を電源コードに係止して固定する保持具の外観を装飾品にする。この発明によれば、一端を電源コードに接続するタイプの保持具にも電気機器周辺の空間に華やぎを与えるアクセサリーとしての価値を付与することができる。【００１５】請求項４の発明によれば、請求項２、３の保持具の外観をとくに人形や実在もしくは架空の生き物の形にする。これにより、電源コードをかたづける機能を持つという必然性のもとにキャラクターなどの人形を飾ることができ、武骨で便利な機能を持つ電気機器と小さく人格を感じさせるキャラクター人形とのギャップにより、見るものに物語性を感じさせ、場をなごませることができる。
【図面の簡単な説明】
【００１６】
【図１】本発明の実施例１を正面下方から見た分解斜視図である。
【図２】本発明の実施例１使用時の斜視図である。
【図３】本発明の実施例２を背面から見た斜視図である。
【図４】本発明の実施例２使用時の斜視図である。
【図５】本発明の実施例３の左側側面図である。
【図６】本発明の実施例３使用時の斜視図である。
【符号の説明】
【００１７】１  挿入溝
３  保持具
４  電源プラグ
５  電源コード
６  電気機器
７  コード付け根
８  粘着テープ
９  Ｕ字金具
１０  羽状突出部
１０１  挿入溝
１０２  栓刃
１０３  保持具
１０４  電源プラグ
１０５  電源コード
１０６  電気機器
１０７  コード付け根
１０８  吸盤
１０９  キャラクター人形
１１０  キャラクター人形頭部
１１１  キャラクター人形胴部
２０１  挿入溝
２０３  保持具
２０４  電源プラグ
２０５  電源コード
２０６  小型電気機器
２０７  コード付け根
２０８  接続部
２０９  接続環
【発明を実施するための形態】
【００１８】以下、図面を参照しつつ、本発明の実施形態について説明するが、本発明はこれら実施形態に制限されるものではない。
【００１９】図１は本発明の実施例１を示している。略直方体状の保持具３本体の底部に接着部があり、ここでの接着方法は粘着テープ８を使用するが、特に限定されるものでなく、他にもゴムバンドや吸盤、磁石、接着剤、面ファスナーなど、電気機器の大きさや材質によって適当なものを使うものとする。ここでは底部の面積を増やし、電気機器６への接着力を強めるために底板を左右両側面方向に適宜延伸し、保持具底面側の断面が長方形であり、保持具正面側の断面が三角形である羽状突出部１０を底部両側面にもうけている。
【００２０】保持具３の素材はここでは合成樹脂によるが、他に金属、ゴム、紙、木、粘土、陶器などでも良い。
【００２１】前面部に電源プラグ４を保持するための挿入溝１がある。挿入溝１が電源プラグ４栓刃を保持する仕組みは、この実施例では、通常のコンセント同様一対のＵ字金具９を本体内部に据えて電源プラグ４栓刃を狭着する方式によるが、単に本体に穴を開けて本体の素材の弾性により保持するのでも良いし、外に硬い材料を使った場合は内部にゴムなどの弾性の高い材料を使って保持するのでも良い。
【００２２】本実施例によれば、電源プラグ４を着脱するにおいて通常のコンセント同様の心地よいカチッという抵抗感を得ることができるから、感電や電気料金などの心配なく何度でも着脱して遊ぶことができ、児童等に電気機器への興味、親しみを持たせることができる。
【００２３】保持具３の大きさは、粘着テープ８で電気機器６に接着するために充分な底部の面積があり、電源プラグ４の栓刃部を収めるのに充分の形状、大きさであると良い。
【００２４】図２に示すように、電気機器６コード付け根７から出た電源コード５を電気機器６胴部外周にたるみができないように巻き付け、引っ張られた電源プラグ４の栓刃を保持具３の挿入溝１に嵌合装着し、保持具３を底部にある粘着テープ８により電気機器６の裏面の目立たない場所に接着する。
【００２５】保持具３は粘着テープ８で電気機器６に接着するために十分な底部の面積があり、電源プラグ４の栓刃部を収めるに足るだけの大きさがあれば良いから、電気機器６の裏面などに目立つことなく接着でき、粘着テープ８で固定することにより、次回以降片付ける際もその位置に電源コード５を引っ張ってくれば良いことが分かるから、分かりやすく、片付けが容易である。
【００２６】図３は本発明の実施例２を示している。キャラクター人形胴部１１１背面に電源プラグ挿入溝１０１があり、底部に吸盤１０８が取り付けられている。
【００２７】ここでは保持具１０３はゴムで作られており、キャラクター人形１０９背面に電源プラグ栓刃１０２に対応する挿入溝１０１が縦向きで開いており、ゴムの弾性によって電源プラグ栓刃部１０２を狭着するものとする。
【００２８】図４に示すように、電気機器１０６のコード付け根１０７から出た電源コード１０５を電気機器１０６胴部にたるみができないように巻き付け、引っ張られた電源プラグ１０４の栓刃１０２を保持具１０３の挿入溝１０１に嵌合装着し、保持具１０３の底部にある吸盤１０８により電気機器１０６の任意の位置に着脱自在に接着する。
【００２９】電源プラグ１０４の栓刃１０２を納めるスペースと底部の接着構造があれば良いから指人形サイズのキャラクター人形１０９にも本発明の機能を持たせることができ、片付けがさらに楽しく行えるようになる。
【００３０】本来単なる観賞用である人形に用途を与えることで目にする機会が増えて愛着が増し、保持具として使用していない時にも電気機器１０６を地面にしてそれに対して小さく侍立するキャラクター人形１０９とのギャップが、機能のみに注目されて冷たいイメージがある電気機器１０６周りの雰囲気をやわらげ、なごませることができる。
【００３１】俯瞰して見れば当該キャラクター人形１０９は電気機器１０６に住む小人の住人もしくは管理者、操縦者、守り神などに見え、キャラクター人形１０９に電源プラグ１０４を挿入している様は、そのキャラクターのエネルギーを電気機器１０６に充電しているように見える。これにより小人が電気機器の能力で戦う能力バトルが想起されたりするなど、周辺空間に物語性が生まれる。
【００３２】世は空前のゆるキャラ、物の擬人化ブームであり、どの業界もそれを取り入れて業界全体を盛り上げようと必死だが、擬人化元が抽象物であったり、キャラクター商品が観賞以外用途のない絵や人形などでは売れにくく、作ればなんでも流行るというわけではない。
【００３３】本発明は日常生活の中に実物があって目に入りやすく、またキャラクター人形が実在の用途を有することにより他より優れている。
【００３４】さらに出版業界とタイアップしてオリジナルのキャラクターを作り、物語を放送すれば子どもから大人まで電気機器に対する興味親しみが増し、一大ブームが起こって家電業界全体の隆盛に繋がるなどその有用性は極めて大である。
【００３５】図５は本発明の実施例３を示している。軟質合成樹脂で作られた鳥形の保持具２０３の左側面に電源プラグ２０４を受ける挿入溝２０１があり、鳥形の胸部、保持具前面下部には保持具２０３と  電源コード２０５をつなぐ棒状の接続部２０８が外向きに突出している。接続部２０８の先端には電源コード２０５を係止する接続環２０９があり、ここでは接続環２０９は略Ｃ字型に円周上の一点が開かれており、その開口部から電源コード２０５をはめこみ、係止することにする。
【００３６】図６に示すように小型電気機器２０６のコード付け根２０７から出た電源コード２０５を小型電気機器２０６に巻きつけて、電源プラグ２０４栓刃を保持具２０３側面の挿入溝２０１に嵌合装着する。
【００３７】この実施例のように、電源コード２０５に係止した保持具２０３の外観をキャラクターなどの人形や動物の形その他の装飾品にすると、小型電気機器２０６にも周辺空間に物語性を感じさせて場をなごませる本発明の機能を適用することができる。
【図１】
2016100327.tif 000003
【図２】
2016100327.tif 000004
【図３】
2016100327.tif 000005
【図４】
2016100327.tif 000006
【図５】
2016100327.tif 000007
【図６】
2016100327.tif 000008